(57)【要約】【課題】記録用には高解像度のＪＰＥＧデータ、表示用には低解像度のＭＰＥＧ４データという２種類の画像データを同時に伝送する方法は、記録用と表示用にそれぞれ別の圧縮回路あるいは伸張回路が必要であり、高コストとなり、また監視カメラの小型化を妨げる。【解決手段】受信側装置のスケーリング回路３はカメラセンサ１で撮影して得られた画像データのうち、１フレームのオリジナル画像データに続くｍフレーム（ｍは１以上の自然数）の差分画像データ（これは前フレームとの差分画像データ又はあるオリジナル画像データとそれ以後のｍフレームの各オリジナル画像データとの差分画像データ）をスケーリング処理し、オリジナル画像データと共に出力する。ＪＰＥＧエンコーダ４はスケーリング回路３からの画像データに対してＪＰＥＧ方式で圧縮符号化する。ＣＰＵ６はＪＰＥＧエンコーダ４からの圧縮画像データをＮＩＣ８を介して受信側装置へ伝送する。【選択図】図１
2008259074.tif 000002
【特許請求の範囲】
【請求項１】
各々カメラセンサを備えた複数台の送信側装置からそれぞれネットワークを介して伝送された画像データを１台の受信側装置で受信し、それら受信した複数の画像データを複数の分割画面により分割画像としてそれぞれ表示させる画像伝送方式において、
前記送信側装置は、
前記カメラセンサにより被写体を撮像して得られた１フレーム当りＮ×Ｍピクセル（Ｎ，Ｍはそれぞれ２以上の自然数）のオリジナル画像データから、前フレームとの差分画像信号を生成し、その差分画像信号を（Ｎ×Ｍ）／ｎピクセル（（Ｎ×Ｍ／ｎ）は１以上の自然数）にスケーリング処理してスケーリング画像データを生成するスケーリング手段と、
１フレームの前記オリジナル画像データと、そのオリジナル画像データに続くｍフレーム（ｍは１以上の自然数）の前記スケーリング画像データとを１組とした場合に、各組の画像データに対してフレーム内圧縮方式で画像圧縮して出力する画像圧縮手段と、
前記画像圧縮手段により画像圧縮して得られた圧縮画像データを、前記ネットワークを介して前記受信側装置へ送信する出力手段とを有し、
前記受信側装置は、
前記ネットワークを介して前記圧縮画像データを受信する受信手段と、
受信した前記圧縮画像データから、前記オリジナル画像データを圧縮して得られたオリジナル圧縮画像データを分離して記憶する記憶手段と、
受信した前記圧縮画像データをデコードし、デコードして得られた前記オリジナル画像データと前記スケーリング画像データとのうち、前記スケーリング画像データについては更に前後２フレーム間での合成を行って復号スケーリング画像データを生成するデコード手段と、
前記デコード手段により生成された各画像データに対して、前記複数の分割画面のうちの一の分割画面で表示するためのスケーリング処理を行ってから表示部に表示させる表示制御手段とを有することを特徴とする画像伝送方式。
【請求項２】
各々カメラセンサを備えた複数台の送信側装置からそれぞれネットワークを介して伝送された画像データを１台の受信側装置で受信し、それら受信した複数の画像データを複数の分割画面により分割画像としてそれぞれ表示させる画像伝送方式において、
前記送信側装置は、
前記カメラセンサにより被写体を撮像して得られた１フレーム当りＮ×Ｍピクセル（Ｎ，Ｍはそれぞれ２以上の自然数）の第１のオリジナル画像データと、その第１のオリジナル画像データに続くｍフレーム（ｍは１以上の自然数）のＮ×Ｍピクセルの第２のオリジナル画像データとの差分画像信号を生成し、その差分画像信号を（Ｎ×Ｍ）／ｎピクセル（（Ｎ×Ｍ／ｎ）は１以上の自然数）にスケーリング処理してスケーリング画像データを生成するスケーリング手段と、
前記第１のオリジナル画像データと、その第１オリジナルの画像データに続く０〜ｍフレームの前記スケーリング画像データとを１組とした場合に、各組の画像データに対してフレーム内圧縮方式で画像圧縮して出力する画像圧縮手段と、
前記画像圧縮手段により画像圧縮して得られた圧縮画像データを、前記ネットワークを介して前記受信側装置へ送信する出力手段とを有し、
前記受信側装置は、
前記ネットワークを介して前記圧縮画像データを受信する受信手段と、
受信した前記圧縮画像データから、前記第１のオリジナル画像データを圧縮して得られたオリジナル圧縮画像データを分離して記憶する記憶手段と、
受信した前記圧縮画像データをデコードし、デコードして得られた前記第１のオリジナル画像データと前記スケーリング画像データとのうち、前記スケーリング画像データについては更にデコードされた前記第１のオリジナル画像データとの合成を行って復号スケーリング画像データを生成するデコード手段と、
前記デコード手段により生成された各画像データに対して、前記複数の分割画面のうちの一の分割画面で表示するためのスケーリング処理を行ってから表示部に表示させる表示制御手段とを有することを特徴とする画像伝送方式。
【請求項３】
前記受信側装置は、前記送信側装置内の前記スケーリング手段における前記ｍの値を任意に設定する設定手段を更に有することを特徴とする請求項１又は２記載の画像伝送方式。
【発明の詳細な説明】
【技術分野】
【０００１】
本発明は画像伝送方式に係り、特にセキュリティ監視などの分野において連続的に生成される画像データを伝送する画像伝送方式に関する。
【背景技術】
【０００２】
例えば、セキュリティ監視などにおいては建物や店舗などの状況を複数台の監視カメラで撮影し、その撮影した画像を記録装置に記録しながら、同時に必要な映像を表示装置に表示して監視することが行われている。小規模なシステムでは通常は記録装置が表示機能も兼ね備えている。
【０００３】
このような監視システムでは記録装置へ記録する時間を少しでも長くするために、監視上支障のない範囲でフレームレートを落として記録することが一般的に行われている。一方で監視カメラから送られる画像データのライブ表示については、監視員が通常見ていて違和感がないように通常の動画（いわゆるフルレート）で表示できる事が望まれている。更に、記録する画像データについては有事の際の分析目的が主であるため、高画質・高解像度が求められるが、ライブ表示については通常は複数台の監視カメラを少ない台数のモニタで表示する事が多い。そのため一画面内に複数台の監視カメラからの画像が表示されるため、各画面は小さく表示されることになる。
【０００４】
このように相反する要求に対する解決策としては、監視カメラからＭＰＥＧ(Moving Picture Experts Group)方式で圧縮した画像データを出力して、撮影時と同じフルレートの映像情報をモニタリングすると共に、画像データをＩフレームだけを残したフレーム間引き処理して蓄積メディアに記録する事で長時間の映像情報の蓄積を実現し、異常検知時はフレーム間引き処理を停止してすべてのフレームの映像情報を蓄積メディアに記録する監視カメラシステムが知られている（例えば、特許文献１参照）。
【０００５】
また、記録用には高解像度のＪＰＥＧ(Joint Photographic Experts Group)データ、表示用には低解像度のＭＰＥＧ４データという２種類の画像データを同時に伝送（デュアルストリームと呼ぶ）する方法も知られている（例えば、非特許文献１参照）。
【０００６】
【特許文献１】特開２００２−２６２２７２号公報
【非特許文献１】”メガピクセルネットワークカメラ  ＲＰーＮＰ１０００”、平成１８年１２月１２日検索、松下電器株式会社、インターネット＜ＵＲＬ：http://panasonic.biz/security/ipro/np1000.html＞
【発明の開示】
【発明が解決しようとする課題】
【０００７】
しかし上記のような解決策では、記録用と表示用にそれぞれ別の圧縮回路あるいは伸張回路が必要であり、コストが高くなる。また、監視用のカメラは小型化が強く望まれており、回路規模が増えることは小型化への障害にもなる。また、ＭＰＥＧ４などのフレーム間圧縮方式はＪＰＥＧなどのフレーム内圧縮方式に比べ処理の負荷が多く、ソフトウェア処理を行う場合などにはＣＰＵ負荷が高くなるという問題もある。更に、特許文献１記載の監視カメラシステムでは、記録用の画像はモニタ用の画像と同一の画質であり、有事の際の分析目的が主である記録用の画像は高画質・高解像度が望めない。
【０００８】
本発明は以上の点に鑑みなされたもので、複数の圧縮方式を使用することなく、セキュリティ監視で一般的に使用されている圧縮方式（ＪＰＥＧなど）による画像データを用い、記録媒体には高画質の画像データを記録すると共に、標準画質の画像データを表示することで、回路規模、ソフトウェア処理にかかる負荷などを削減すると共に、既存機器との親和性が高く、特に監視カメラシステムに適用して好適な画像伝送方式を提供することを目的とする。
【課題を解決するための手段】
【０００９】
上記の目的を達成するため、第１の発明は各々カメラセンサを備えた複数台の送信側装置からそれぞれネットワークを介して伝送された画像データを１台の受信側装置で受信し、それら受信した複数の画像データを複数の分割画面により分割画像としてそれぞれ表示させる画像伝送方式において、
上記送信側装置は、カメラセンサにより被写体を撮像して得られた１フレーム当りＮ×Ｍピクセル（Ｎ，Ｍはそれぞれ２以上の自然数）のオリジナル画像データから、前フレームとの差分画像信号を生成し、その差分画像信号を（Ｎ×Ｍ）／ｎピクセル（（Ｎ×Ｍ／ｎ）は１以上の自然数）にスケーリング処理してスケーリング画像データを生成するスケーリング手段と、１フレームのオリジナル画像データと、そのオリジナル画像データに続くｍフレーム（ｍは１以上の自然数）のスケーリング画像データとを１組とした場合に、各組の画像データに対してフレーム内圧縮方式で画像圧縮して出力する画像圧縮手段と、画像圧縮手段により画像圧縮して得られた圧縮画像データを、ネットワークを介して受信側装置へ送信する出力手段とを有し、
上記受信側装置は、ネットワークを介して圧縮画像データを受信する受信手段と、受信した圧縮画像データから、オリジナル画像データを圧縮して得られたオリジナル圧縮画像データを分離して記憶する記憶手段と、受信した圧縮画像データをデコードし、デコードして得られたオリジナル画像データとスケーリング画像データとのうち、スケーリング画像データについては更に前後２フレーム間での合成を行って復号スケーリング画像データを生成するデコード手段と、デコード手段により生成された各画像データに対して、複数の分割画面のうちの一の分割画面で表示するためのスケーリング処理を行ってから表示部に表示させる表示制御手段とを有することを特徴とする。
【００１０】
この発明では、ＭＰＥＧ４などのフレーム間圧縮方式に比べて処理の負荷が軽いフレーム内圧縮方式（例えば、ＪＰＥＧ）のみを用いて、１フレームのオリジナル画像データと、そのオリジナル画像データに続くｍフレームの各前フレームとの差分画像信号に対してスケーリング処理して得たスケーリング画像データとを一組とする画像データを組単位で圧縮して受信側装置へ伝送し、受信側装置で圧縮画像データをデコードして得られた画像データのうち、オリジナル画像データのみを記憶し、デコードされたスケーリング画像データは元の画像データに戻した後オリジナル画像データと共に、スケーリング処理してから表示部の分割画面に表示するようにしたため、記憶する画像データは表示部に比べて高画質で長時間記録でき、また、表示部の分割画面には間引き処理されていないフルレートの画像を表示できる。
【００１１】
また、上記の目的を達成するため、第２の発明は、各々カメラセンサを備えた複数台の送信側装置からそれぞれネットワークを介して伝送された画像データを１台の受信側装置で受信し、それら受信した複数の画像データを複数の分割画面により分割画像としてそれぞれ表示させる画像伝送方式において、
送信側装置は、カメラセンサにより被写体を撮像して得られた１フレーム当りＮ×Ｍピクセル（Ｎ，Ｍはそれぞれ２以上の自然数）の第１のオリジナル画像データと、その第１のオリジナル画像データに続くｍフレーム（ｍは１以上の自然数）のＮ×Ｍピクセルの第２のオリジナル画像データとの差分画像信号を生成し、その差分画像信号を（Ｎ×Ｍ）／ｎピクセル（（Ｎ×Ｍ／ｎ）は１以上の自然数）にスケーリング処理してスケーリング画像データを生成するスケーリング手段と、第１のオリジナル画像データと、その第１オリジナルの画像データに続く０〜ｍフレームのスケーリング画像データとを１組とした場合に、各組の画像データに対してフレーム内圧縮方式で画像圧縮して出力する画像圧縮手段と、画像圧縮手段により画像圧縮して得られた圧縮画像データを、ネットワークを介して受信側装置へ送信する出力手段とを有し、
受信側装置は、ネットワークを介して圧縮画像データを受信する受信手段と、受信した圧縮画像データから第１のオリジナル画像データを圧縮して得られたオリジナル圧縮画像データを分離して記憶する記憶手段と、受信した圧縮画像データをデコードし、デコードして得られた第１のオリジナル画像データとスケーリング画像データとのうち、スケーリング画像データについては更にデコードされた第１のオリジナル画像データとの合成を行って復号スケーリング画像データを生成するデコード手段と、デコード手段により生成された各画像データに対して、複数の分割画面のうちの一の分割画面で表示するためのスケーリング処理を行ってから表示部に表示させる表示制御手段とを有することを特徴とする。
【００１２】
この発明では、第１の発明におけるスケーリング画像データに替えて、第１のオリジナル画像データと、第１のオリジナル画像データに続くｍフレームの第２のオリジナル画像データとの差分画像信号を生成し、その差分画像信号を（Ｎ×Ｍ）／ｎピクセルにスケーリング処理したスケーリング画像データとし、そのスケーリング画像データを、第１のオリジナル画像データと共に第１の発明と同様に、フレーム内圧縮方式（例えば、ＪＰＥＧ）のみを用いて組単位で圧縮し、その圧縮画像データを受信側装置へ送信し、受信側装置でデコードして得られた画像データのうち、第１のオリジナル画像データのみを記憶し、第１のオリジナル画像データとスケーリング画像データとをそれぞれデコードして得た画像データはスケーリング処理してから表示部の分割画面に表示するようにしたため、記憶する画像データは表示部に比べて高画質で長時間記録でき、また、表示部の分割画面には間引き処理されていないフルレートの画像を表示できる。
【００１３】
ここで、受信側装置は、送信側装置内のスケーリング手段におけるｍの値を任意に設定する設定手段を更に有するようにしてもよい。
【発明の効果】
【００１４】
本発明によれば、受信側装置で記憶するオリジナル画像データと、受信側装置の表示部の分割画面で表示する画像データとを同一のフレーム内圧縮方式で圧縮符号化して伝送するようにしたため、複数の圧縮方式を使用して画像データを伝送する従来方式に比べて、回路規模、ソフトウェア処理にかかる負荷などを削減することができる。
【００１５】
また、本発明によれば、受信側装置の記憶手段で記憶する画像データは、ｍフレームおきのスケーリング処理していないオリジナル画像データであるので、高画質の画像データを長時間記録することができると共に、受信側装置の表示部の分割画面で表示する画像データは、オリジナル画像データと前フレーム又はそれ以前の最も近いオリジナル画像データとの差分画像信号をスケーリング処理したｍ枚のスケーリング画像データと１枚のオリジナル画像データとを一組とする画像データを圧縮符号化した画像データをデコードし、それをスケーリング処理した画像データであるので、フルレートの標準画質の画像を分割画面で表示できる。
【００１６】
特に、上記のフレーム内圧縮方式（ＪＰＥＧ）は、セキュリティ監視で一般的に使用されている圧縮方式であり、記憶手段に記憶されている画像データはセキュリティ監視で用いられているフレーム内圧縮方式の圧縮画像データそのものなので、証拠映像として価値が高く、また、差分画像信号をスケーリング処理して伝送するため、セキュリティ監視用途の場合、背景画は固定の場合が多くデータ量削減の効果が高いため、本発明は特にセキュリティ監視の監視カメラシステムに適用して好適である。
【発明を実施するための最良の形態】
【００１７】
次に、本発明の最良の実施の形態について図面と共に詳細に説明する。図１は本発明になる画像伝送方式の送信側装置の一実施の形態のブロック図、図２は本発明になる画像伝送方式の受信側装置の一実施の形態のブロック図を示す。本実施の形態の画像伝送方式では、図１の送信側装置において撮影した１フレーム当りＮ×Ｍピクセル（Ｎ，Ｍはそれぞれ２以上の自然数）のオリジナル画像信号と、オリジナル画像信号をスケーリング処理して得た（Ｎ×Ｍ）／ｎピクセル（（Ｎ×Ｍ／ｎ）は１以上の自然数）のスケーリング画像データｍ個（ｍは１以上の自然数）との繰り返しを１組とし、各組のオリジナル画像信号のデータサイズよりも小さくなる（Ｎ×Ｍ）／ｎピクセルの各スケーリング画像データについては、例えば前フレームとの差分情報に置き換え、これらをＪＰＥＧ方式の画像圧縮を用いて圧縮し、その集合を繰り返しネットワークへ送信する。
【００１８】
また、図２の受信側装置では、ネットワークを介して図１の送信側装置から送信された画像データを受信して記憶装置１６に記録すると共に、復号してモニタ装置１８に画像表示する。なお、上記の送信側装置のＮ×Ｍピクセルのオリジナル画像信号は例えば、標準画質（ＮＴＳＣ方式相当の画質）よりも高画質（例えばハイビジョン相当）の画像信号である。また、上記のネットワークには、図１と同一構成の送信側装置が複数台接続されている。
【００１９】
図１において、送信側装置は、所望の被写体を撮影するカメラセンサ１と、カメラセンサ１を駆動したりカメラセンサ１からの撮影データの処理を行う画像処理回路２と、画像処理回路２でデジタル信号に変換された画像データをスケーリング（縮小）するスケーリング回路３と、画像データをＪＰＥＧ変換するＪＰＥＧエンコーダ４と、ＪＰＥＧエンコーダ４によるエンコード処理のために用いるメモリ５と、ＪＰＥＧエンコーダ４で圧縮した画像データのパケット処理を行う中央処理装置（ＣＰＵ）６と、パケット処理のために用いるメモリ７と、パケッタイズされた画像データをネットワーク（図示せず）上に送出するネットワークインタフェースカード（ＮＩＣ:Network Interface Card)８とを備えている。
【００２０】
また、図２において、受信側装置は、図示しないネットワークを介して図１の送信側装置から送信されたパケッタイズされた画像データを受信するＮＩＣ１１と、ＮＩＣ１１で受信したパケッタイズされた画像データからペイロードデータを抽出するＣＰＵ１２と、メモリ１３と、画像データの表示を制御するための表示制御回路１４と、ＪＰＥＧ方式で圧縮されている画像データをデコードするＪＰＥＧデコーダ１５と、圧縮されている画像データあるいはＣＰＵ１２をコントロールするプログラムなどを記録するハードディスク装置（記憶装置）１６とがバス１７に接続され、更に画像を表示するモニタ装置１８を備えている。
【００２１】
次に、本実施の形態の動作について説明する。まず、図１の送信側装置の動作について説明するに、カメラセンサ１は所望の被写体を撮影して、１フレーム当り横方向Ｎピクセル、縦方向Ｍピクセルのオリジナル画像信号を出力する。このオリジナル画像信号は、画像処理回路２によりγ補正やノイズ除去処理などの公知の映像信号処理が施されて正規のデジタル信号の画像データとして出力される。
【００２２】
画像処理回路２から出力された画像データはスケーリング回路３に入力され、ここで予め設定された情報により画像データのスケーリング（縮小）処理が行われる。スケーリングの比率は予め決められた固定値（例えば１／２、１／４、１／９など）でもよいし、受信側装置の画面表示構成の情報を使用してその時の表示サイズに合うように設定してもよい。さらにスケーリング（縮小）時には折り返し歪みなどのノイズが発生しないように、フィルタリング処理が行われる。
【００２３】
ここで、スケーリング回路３での実際のスケーリング（縮小）は、入力される画像データのすべてのフレームにわたり行うのではなく、図２の受信側装置より設定された周期に基づいて行われる。例えば、上記の周期を「５」とした場合には、スケーリングを行わない画像データ（オリジナル画像データ）を１枚出力した後、１／ｎにスケーリング（縮小）した画像を５枚生成する。なお、このスケーリングした５枚の画像データは、前フレームとの差分データを１／ｎにスケーリングした画像データである。これにより、スケーリング回路３からは以下の順で画像データが出力される。
【００２４】
フレーム０  画像０（オリジナル画像）
フレーム１  画像１’（画像０−画像１のスケーリング画像）
フレーム２  画像２’（画像１−画像２のスケーリング画像）
フレーム３  画像３’（画像２−画像３のスケーリング画像）
フレーム４  画像４’（画像３−画像４のスケーリング画像）
フレーム５  画像５’（画像４−画像５のスケーリング画像）
フレーム６  画像６（オリジナル画像）
フレーム７  画像７’（画像６−画像７のスケーリング画像）
・・・・・・・・・・・・・・・
なお、差分データの算出方法としては上記のような前フレームとの差分でなく、該当フレームよりも以前の最も近いオリジナル画像との差分をとってもよい。その場合のスケーリング回路３から出力される画像データは以下の順で出力される。
【００２５】
フレーム０  画像０（オリジナル画像）
フレーム１  画像１’（画像０−画像１のスケーリング画像）
フレーム２  画像２’（画像０−画像２のスケーリング画像）
フレーム３  画像３’（画像０−画像３のスケーリング画像）
フレーム４  画像４’（画像０−画像４のスケーリング画像）
フレーム５  画像５’（画像０−画像５のスケーリング画像）
フレーム６  画像６（オリジナル画像）
フレーム７  画像７’（画像６−画像７のスケーリング画像）
・・・・・・・・・・・・・・・・・・
ここで、本実施の形態の画像伝送システムが例えばセキュリティ監視システムなどの場合、不審者の侵入その他を監視するための監視対象の被写体は、一般的には殆どの時間で固定の背景画像であるため、前記スケーリングされた画像１’〜５’などの差分データは殆ど差が現れず、ＤＣ成分のみに近い画像データとなる。この特徴を利用することにより、次段のＪＰＥＧエンコーダ４では画像１’〜５’について大幅な圧縮が可能となる。
【００２６】
このようにして、ＪＰＥＧエンコーダ４で圧縮された画像データは、ＣＰＵ６及びメモリ７を用いてパケット処理された後、パケッタイズされた画像データとしてＮＩＣ８を介して図示しないネットワーク上に送出される。
【００２７】
図２に示す受信側装置では、ネットワークに送出された上記のパケッタイズされた画像データをＮＩＣ１１で受信する。ＣＰＵ１２はこの受信したパケッタイズされた画像データから、オリジナル画像とそうでない画像（スケーリングされた差分画像）を分類し、オリジナル画像のフレームについてはそのまま（圧縮したまま）ハードディスク装置１６に記憶する。このとき、オリジナル画像かそうでない画像かは例えばＪＰＥＧデータのコメントブロックなどを用いて識別フラグを設定したり、あるいはコメントブロックの画像サイズなどにより識別可能である。
【００２８】
また、これと同時に、上記の受信したパケッタイズされた画像データは、ＪＰＥＧデコーダ１５に送られ、全てのフレーム（オリジナル画像、スケーリングした差分画像にかかわらず）がデコードされ、さらに差分画像については前フレームの情報との演算処理が行われ通常の画像データとして復元される。
【００２９】
このようにしてデコードされた画像データはＣＰＵ１２により表示用の画像サイズにスケーリングされ、表示制御回路１４を介してモニタ装置１８の画面に表示される。例えば、ＳＸＧＡ(super XGA)サイズ（横１２８０ピクセル、縦１０２４ピクセル）のモニタ装置１８上に１６画面分割で表示するとして、元々のカメラセンサ１からの撮影画像データがＳＸＧＡの高解像度である場合に、オリジナル画像（ＳＸＧＡサイズ）は縦横それぞれ１／４に、またスケーリング画像（仮にＶＧＡサイズ（横６４０ピクセル、縦３５０ピクセル）にスケーリングされているとする）は縦横それぞれ１／２にスケーリングされることになる。
【００３０】
ここで、モニタ装置１８により１６画面分割で表示する場合、一つの分割画面で表示される画像は、一台の送信側装置のカメラセンサ１で撮影された高画質の画像信号に基づく標準画質のフルレートの画像である。従って、受信側装置では、１６台の送信側装置からの１６台のカメラセンサ１でそれぞれ別々に撮影された１６箇所の被写体の高画質の画像信号を、モニタ装置１８により１６分割された各分割画面に標準画質でフルレートで表示することになる。
【００３１】
なお、送信側装置でのスケーリング処理を、モニタ装置１８上での画像の表示方式（分割数など）に連動するようにすると、受信側装置ではオリジナル画像の処理だけで済ませることができるため、処理の負荷を更に軽減することが可能である。
【００３２】
このように、本実施の形態では、異なる２種類（ＪＰＥＧとＭＰＥＧ４など）のエンコーダやデコーダを用いたり、同一圧縮方式を２系統（ＳＸＧＡサイズとＶＧＡサイズでのデュアルストリーム）を設けたりすることなく、シングルストリームでデュアルストリームと同様の効果が得られ、回路規模を最小にでき、またソフトウェア処理にかかる負荷などを削減することが可能な画像伝送方式を実現することができる。
【００３３】
また、本実施の形態をセキュリティ監視用途とした場合、セキュリティ監視で一般的に使用されている圧縮方式（ＪＰＥＧ）をベースに構築でき、特にハードディスク装置１６への記録映像は、例えば、５フレームおきの高画質（例えばＳＸＧＡ）のオリジナル画像を一般的に使用されている圧縮方式（ＪＰＥＧ）で圧縮された画像データそのものなので、ハードディスク装置１６に高画質画像の長時間の保存用の記録ができると共に、証拠映像として価値が高い。一方、モニタ装置１８により例えば１６分割された各分割画面に１６台のカメラセンサからの撮影画像を標準画質でフルレートで表示するので、監視員による違和感がない画像の監視ができる。以上より、本実施の形態は監視カメラシステムに適用して好適である。また、本実施の形態では、一般的な圧縮方式（ＪＰＥＧ）を使用しているため、既存機器との親和性が高いという特長もある。
【００３４】
なお、本発明は上記の実施の形態に限定されるものではなく、例えば、モニタ装置の分割画面数は１６以外であってもよいことは勿論であり、また、記録用とモニタ用の画像サイズの比率は任意に設定が可能である。
【図面の簡単な説明】
【００３５】
【図１】本発明の画像伝送方式の送信側装置の一実施の形態のブロック図である。
【図２】本発明の画像伝送方式の受信側装置の一実施の形態のブロック図である。
【符号の説明】
【００３６】
１  カメラセンサ
２  画像処理回路
３  スケーリング回路
４  ＪＰＥＧエンコーダ
５、７、１３  メモリ
６、１２  中央処理装置（ＣＰＵ）
８、１１  ＮＩＣ
１４  表示制御回路
１５  ＪＰＥＧデコーダ
１６  ハードディスク装置（記憶装置）
１８  モニタ装置
【図１】
2008259074.tif 000003
【図２】
2008259074.tif 000004